(57)【要約】【課題】上着が折り畳まれた状態で、上着が折り畳まれた状態で、上着の型崩れが生じたり、折り目やしわが付いたりするのを防ぐことのできる上着用保形具を提供する。【解決手段】本発明の上着用保形具１は、上着２００の後身頃２０４の略全域に対向するように前身頃２０１と後身頃２０４との間に配置可能に形成されるシート状の保形具本体１０を備える。該保形具本体１０は、上着２００の身幅に対応する第一方向の中央部で折り曲げ可能な第一折り曲げ部１５と、上着２００の着丈に対応する第二方向に折り曲げ可能な少なくとも一つの第二折り曲げ部１８と、を備える。保形具本体１０は、第一折り曲げ部１５及び第二折り曲げ部１８に沿って折り曲げられることで、四つ折り以上に折り畳み可能に形成されている。【選択図】図１
2013158354.tif 000002
【特許請求の範囲】
【請求項１】
上着の後身頃の略全域に対向するように前身頃と後身頃との間に配置可能に形成されるシート状の保形具本体を備え、該保形具本体は、前記上着の身幅に対応する第一方向の中央部で折り曲げ可能な第一折り曲げ部と、前記上着の着丈に対応する第二方向に折り曲げ可能な少なくとも一つの第二折り曲げ部と、を備え、前記保形具本体は、前記第一折り曲げ部及び少なくとも一つの第二折り曲げ部に沿って折り曲げられることで、四つ折り以上に折り畳み可能に形成されている上着用保形具。
【請求項２】
前記第一折り曲げ部及び第二折り曲げ部のそれぞれは、罫線で構成されている請求項１に記載の上着用保形具。
【請求項３】
前記第一折り曲げ部は、前記保形具本体の前記第二方向の全長に亘って形成されるとともに、第二折り曲げ部は、前記保形具本体の第一方向の全長に亘って形成され、前記保形具本体は、前記第一折り曲げ部の両端部に第一の肉盗み部を有するとともに、前記第二折り曲げ部の両端部に第二の肉盗み部を有する請求項１又は請求項２に記載の上着用保形具。
【請求項４】
前記保形具本体は、複数の貫通穴を備え、該複数の貫通穴は、少なくとも前記第一の折り曲げ部上に位置するように設けられる請求項１乃至請求項３の何れか一項に記載の上着用保形具。
【請求項５】
前記複数の貫通穴は、前記第二の折り曲げ部上にも位置するように設けられる請求項４に記載の上着用保形具。
【請求項６】
前記第一折り曲げ部と前記第二折り曲げ部との交点上に設けられた貫通穴の周縁部には、前記第一折り曲げ部及び第二折り曲げ部に対応した第三の肉盗み部が形成されている請求項４又は請求項５に記載の上着用保形具。
【請求項７】
前記保形具本体は、前記第二方向に第一端部及び第二端部を備え、前記第一方向の両端における第二方向の第一端部側に凹状の袖かわし部が形成されている請求項１乃至請求項６の何れか一項に記載の上着用保形具。
【請求項８】
前記保形具本体の前記第二方向の前記第一端部に連続して形成された折り曲げ可能な止め片を備え、前記止め片は、前記保形具本体が四つ折り以上に折り畳まれた状態で、前記保形具本体側に折り返されて該保形具本体の対向する部位に連結可能に構成される請求項１乃至請求項７の何れか一項に記載の上着用保形具。
【発明の詳細な説明】
【技術分野】
【０００１】
本発明は、上着を折り畳んだ状態で携行するための上着用保形具に関する。
【背景技術】
【０００２】
一般的に、上着を携行する場合、上着は、折り畳んだ状態で腕や鞄等に掛けられる。この場合、上着が不規則に動いて型崩れが生じたり、折り目やしわが付いたりするといった問題が生じる。
【０００３】
これに伴い、例えば、上着用のカバーが提供されている（例えば、特許文献１参照）。かかる上着用のカバーは、第一方向に第一端及び第二端を備えるシート状のカバー本体であって、厚み方向に第一面及び第二面を有するシート状のカバー本体を備える。該カバー本体の第一方向の長さは、上着の着丈に対応する長さに設定されるとともに、カバー本体の第一方向に直交する第二方向の長さは、上着の身幅の半分の長さに設定される。この種のカバー本体は、第一端に連続された第一の取手部と、第一面上の第二端からカバー本体の全長の略３分の１の位置に設けられる第二の取手部とを備える。
【０００４】
そして、この種の上着用のカバーを用いて上着を折り畳む場合、上着は、第二方向（身幅方向）に予め略半分に折り畳まれた状態でカバー本体の第二面上に載せられ、第一方向で第二端から略３分の１の位置で、カバー本体が上着とともに折り曲げられる。そして、カバー本体は、第二面を内面として、第一方向で第一端から略３分の１の位置で折り曲げられる。そうすると、上着がカバー本体とともに折り畳まれるようになるため、上着がカバー本体に対してある程度位置決めされた状態で保持される。また、この種の上着用のカバーは、上着がカバー本体とともに折り畳まれた状態では、第一の取手部と、第二の取手部とが重ね合わされて、把持部が形成される。これにより、上着用のカバーは、把持部を把持することで携行可能であり、上着が折り畳まれた状態で携行しても折り目やしわが付きにくいとされている。
【先行技術文献】
【特許文献】
【０００５】
【特許文献１】実開平５−２１７１９号公報
【発明の概要】
【発明が解決しようとする課題】
【０００６】
しかしながら、上記構成の上着用のカバーは、上着を身幅方向に対して二つ折りにした状態で包み込むようにしているため、カバー内部で上着の前身頃及び後身頃が確実に拘束されず、型崩れが生じたり、折り目やしわが付いたりするといった問題が残る。
【０００７】
そこで、本発明は、斯かる実情に鑑み、上着が折り畳まれた状態で、上着の型崩れが生じたり、折り目やしわが付いたりするのを防ぐことのできる上着用保形具を提供することを課題とする。
【課題を解決するための手段】
【０００８】
本発明に係る上着用保形具は、上着の後身頃の略全域に対向するように前身頃と後身頃との間に配置可能に形成されるシート状の保形具本体を備え、該保形具本体は、前記上着の身幅に対応する第一方向の中央部で折り曲げ可能な第一折り曲げ部と、前記上着の着丈に対応する第二方向に折り曲げ可能な少なくとも一つの第二折り曲げ部と、を備え、前記保形具本体は、前記第一折り曲げ部及び少なくとも一つの第二折り曲げ部に沿って折り曲げられることで、四つ折り以上に折り畳み可能に形成されている。
【０００９】
上記構成の上着用保形具によれば、保形具本体が第一折り曲げ部及び少なくとも一つの第二折り曲げ部に沿って第一方向及び第二方向に四つ折りに折り曲げ可能となっている。これに伴って、保形具本体が上着の前身頃と後身頃との間に配置された状態で、上着とともに第一折り曲げ部及び少なくとも一つの第二折り曲げ部に沿って一緒に折り曲げられることで、上着と保形具本体とが、四つ折り以上に折り畳まれる。そのため、保形具本体が上着の前身頃、後身頃のそれぞれに対向して配置され、保形具本体と上着（前身頃、後身頃）とが互いに拘束しあって位置決めされる。これにより、上着が鞄や袋等に収納されて携行されたとしても、上着の型崩れを防ぐとともに、上着に折り目やしわが付きにくくすることができる。特に、上着の袖部がそのまま保持され、上着が裏返しにされた状態で、保形具本体が上着の前身頃と後身頃との間に配置され、第一折り曲げ部及び少なくとも一つの第二折り曲げ部に沿って一緒に四つ折り以上に折り畳まれると、袖部の動きが拘束されることで、袖部に折り目やしわが付くのが防止される。
【００１０】
本発明の他態様として、前記第一折り曲げ部及び第二折り曲げ部のそれぞれは、罫線で構成されていることが好ましい。
【００１１】
上記構成の上着用保形具によれば、第一折り曲げ部及び第二折り曲げ部のそれぞれは、罫線で構成されているため、保形具本体が第一折り曲げ罫線及び少なくとも一つの第二折り曲げ罫線に沿って第一方向及び第二方向にさらに折り曲げられやすくなる。
【００１２】
また、本発明の別態様として、前記第一折り曲げ部は、前記保形具本体の前記第二方向の全長に亘って形成されるとともに、第二折り曲げ部は、前記保形具本体の第一方向の全長に亘って形成され、前記保形具本体は、前記第一折り曲げ部の両端部に第一の肉盗み部を有するとともに、前記第二折り曲げ部の両端部に第二の肉盗み部を有することが好ましい。
【００１３】
上記構成の上着用保形具によれば、上着と保形具本体とが二つ折りに折り畳まれた状態で、保形具本体が各折り曲げ部に沿って上着とともに折り畳まれる際に折り畳まれやすく、各折り曲げ部の両端部に角部が形成されず、丸みを帯びるようになるため、上着が傷むのが防止される。
【００１４】
また、本発明のさらに他の態様として、前記保形具本体は、複数の貫通穴を備え、該複数の貫通穴は、少なくとも前記第一の折り曲げ部上に位置するように設けられることが好ましい。
【００１５】
上記構成の上着用保形具によれば、保形具本体は、複数の貫通穴を備えるため、軽量化されることができるとともに、通気性を良くすることができる。また、複数の貫通穴は、少なくとも第一の折り曲げ部上にあるため、保形具本体が第一折り曲げ部に沿って折り畳まれる際に折り畳みやすくなり、保形具本体が第一折り曲げ部に沿って上着とともに折り畳まれる際に上着に折り目やしわがさらに付きにくくなる。
【００１６】
この場合、前記複数の貫通穴は、前記第二の折り曲げ部上にも位置するように設けられることが好ましい。
【００１７】
上記構成の上着用保形具によれば、保形具本体が第二折り曲げ部に沿って折り曲げられる際に折り畳みやすくなり、保形具本体が第二折り曲げ部に沿って上着とともに折り畳まれる際に上着に折り目やしわがさらに付きにくくなる。
【００１８】
本発明の他態様として、前記第一折り曲げ部と前記第二折り曲げ部との交点上に設けられた貫通穴の周縁部には、前記第一折り曲げ部及び第二折り曲げ部に対応した第三の肉盗み部が形成されていることが好ましい。
【００１９】
上記構成の上着用保形具によれば、上着と保形具本体とが四つ折りに折り畳まれた状態で、保形具本体が各折り曲げ部に沿って上着とともに折り畳まれる際に折り畳まれやすく、両折り曲げ部が交差する位置に形成された貫通穴に角部が形成されず、丸みを帯びるようになるため、上着が傷むのが防止される。
【００２０】
本発明の他態様として、前記保形具本体は、前記第二方向に第一端部及び第二端部を備え、前記第一方向の両端における第二方向の第一端部側に凹状の袖かわし部が形成されていることが好ましい。
【００２１】
上着が袖部を有する場合、保形具本体が各折り曲げ部に沿って上着とともに折り畳まれる際に袖部が折り畳まれにくい。そのため、袖部に折り目やしわが形成されることがある。上記構成の上着用保形具によれば、上述のように、上着が裏返しにされた状態で、上着の袖部が凹状の袖かわし部に沿って折り畳まれることで袖部が折り畳まれやすくなり、袖部に折り目やしわが付くのを防ぐことができる。
【００２２】
本発明の別態様として、前記保形具本体の前記第二方向の前記第一端部に連続して形成された折り曲げ可能な止め片を備え、前記止め片は、前記保形具本体が四つ折り以上に折り畳まれた状態で、前記保形具本体側に折り返されて該保形具本体の対向する部位に連結可能に構成されることが好ましい。
【００２３】
上記構成の上着用保形具によれば、保形具本体が各折り曲げ部に沿って上着とともに四つ折り以上に折り畳まれた状態で、止め片が保形具本体に連結されると、保形具本体の第二方向の第一端と第二端とが、止め片によって係止されるようになるため、保形具本体と上着（前身頃及び後身頃）とが互いにより拘束しあって位置決めされることができ、上着に折り目やしわが付くのをさらに防ぐことができる。この場合、止め片に貫通穴が設けられると、貫通穴に引っ掛けることができるため、止め片がハンガーの役割を果たす。
【発明の効果】
【００２４】
以上のように、本発明の上着用保形具によれば、上着が折り畳まれた状態で、上着の型崩れが生じたり、折り目やしわが付いたりするのを防ぐことができるといった優れた効果を奏し得る。
【図面の簡単な説明】
【００２５】
【図１】本発明の一実施形態に係る上着用保形具の全体構成図を示す。
【図２】上着を裏返しにした状態の図を示す。
【図３】上着を裏返しにした状態で、保形具本体を、上着の後身頃の略全域に対向するように前身頃と後身頃との間に配置した状態の図を示す。
【図４】本発明の一実施形態に係る上着用保形具を用いて上着を第一折り曲げ部に沿って第一方向に折り畳んだ状態の図を示す。
【図５】本発明の一実施形態に係る上着用保形具を用いて上着をさらに第二折り曲げ部に沿って第二方向に折り畳んだ状態の図を示す。
【発明を実施するための形態】
【００２６】
以下、本発明の一実施形態に係る上着用保形具について、添付図面を参照しつつ説明する。
【００２７】
本実施形態に係る上着用保形具は、図１に示すように、上着の後身頃の略全域に対向するように前身頃と後身頃との間に配置可能に形成されるシート状の保形具本体１０を備える。該保形具本体１０は、第一方向に上着の身幅に対応する長さを有し、第二方向に上着の着丈に対応する長さを有する。また、保形具本体１０は、厚み方向に第一面１０ａ及び第二面１０ｂを有する。
【００２８】
該保形具本体１０は、上着の身幅に対応する第一方向の中央部で折り曲げ可能な第一折り曲げ部１５と、上着の着丈に対応する第二方向に折り曲げ可能な少なくとも一つの第二折り曲げ部１８と、を備える。保形具本体１０は、第一折り曲げ部１５及び第二折り曲げ部１８に沿って折り曲げられることで、四つ折り以上に折り畳み可能に形成されている。
【００２９】
本実施形態において、第一折り曲げ部１５は、保形具本体１０の第二方向の全長に亘って形成されている。また、第二折り曲げ部１８は、保形具本体１０の第一方向の全長に亘って形成されている。第一折り曲げ部１５及び第二折り曲げ部１８のそれぞれは、罫線で構成され、他の部分よりも肉薄となるように溝状に形成されている。本実施形態においては、第一折り曲げ部１５は第一折り曲げ罫線１５ａで形成されているとともに、第二折り曲げ部１８は第二折り曲げ罫線１８ａで形成されている。
【００３０】
保形具本体１０は、第一折り曲げ部１５及び第二折り曲げ部１８（第一の折り曲げ罫線１５ａ及び第二の折り曲げ罫線１８ａ）によって四つの領域に画定される。すなわち、保形具本体１０は、第一の折り曲げ罫線１５ａ及び第二の折り曲げ罫線１８ａによって、第二方向の一端側から、第一本体部１１、第二本体部１２、第三本体部１３及び第四本体部１４の各領域に画定されるようになっている。そして、保形具本体１０は、第一の折り曲げ罫線１５ａ及び第二の折り曲げ罫線１８ａに沿って折り曲げられることで、四つ折りに折り畳み可能となっている。
【００３１】
より具体的には、保形具本体１０は、第一の折り曲げ罫線１５ａに沿って第一方向に折り畳まれた状態で、第一本体部１１と第三本体部１３とが重ね合わされるようになるとともに、第二本体部１２と第四本体部１４とが重ね合わされるようになる。この状態から、保形具本体１０は、第二の折り曲げ罫線１８ａに沿って第二方向に折り畳まれると、保形具本体１０が四つ折りに折り畳まれるようになり、第一本体部１１、第二本体部１２、第三本体部１３及び第四本体部１４が重ね合わされるようになる。
【００３２】
保形具本体１０は、第一折り曲げ部１５（本実施形態においては、第一の折り曲げ罫線１５ａ）の両端部に第一の肉盗み部１６，１７を有する。第一の肉盗み部１６，１７のそれぞれは、第一の折り曲げ罫線１５ａの両端部のそれぞれと連続して形成されている。また、第一の肉盗み部１６，１７は、第二折り曲げ部１８（本実施形態においては、第二の折り曲げ罫線１８ａ）に対して略対称となるように形成されている。
【００３３】
そして、第一の肉盗み部１６，１７のそれぞれは、第一折り曲げ部１５（本実施形態においては、第一の折り曲げ罫線１５ａ）に対して略対称となるように形成されている。すなわち、第一の肉盗み部１６は、第一折り曲げ部１５（本実施形態においては、第一の折り曲げ罫線１５ａ）を境にして、保形具本体１０の第一本体部１１と第三本体部１３との間で、内側（第一の折り曲げ罫線１５ａと連続する部分）が凹状（円弧状）に形成されているとともに、外側（第一の折り曲げ罫線１５ａから離れる部分）が凸状に形成されている。
【００３４】
また、第一の肉盗み部１７は、第一折り曲げ部１５（本実施形態においては、第一の折り曲げ罫線１５ａ）を境にして、保形具本体１０の第二本体部１２と第四本体部１４との間で、内側（第一の折り曲げ罫線１５ａと連続する部分）が凹状（円弧状）に形成されているとともに、外側（第一の折り曲げ罫線１５ａから離れる部分）が凸状に形成されている。
【００３５】
保形具本体１０は、第二折り曲げ部１８（本実施形態においては、第二の折り曲げ罫線１８ａ）の両端部に第二の肉盗み部１９，２０を有する。第二の肉盗み部１９，２０のそれぞれは、第二の折り曲げ罫線１８ａの両端部のそれぞれと連続して形成されている。また、第二の肉盗み部１９，２０は、第一折り曲げ部１５（本実施形態においては、第一の折り曲げ罫線１５ａ）に対して略対称となるように形成されている。
【００３６】
第一の肉盗み部１９，２０のそれぞれは、第二折り曲げ部１８（本実施形態においては、第荷の折り曲げ罫線１８ａ）に対して略対称となるように形成されている。すなわち、第一の肉盗み部１９は、第二折り曲げ部１８（本実施形態においては、第二の折り曲げ罫線１８ａ）を境にして、保形具本体１０の第一本体部１１と第二本体部１２との間で、内側（第二の折り曲げ罫線１８ａと連続する部分）が凹状（円弧状）に形成されているとともに、外側（第二の折り曲げ罫線１８ａから離れる部分）が凸状に形成されている。
【００３７】
また、第一の肉盗み部２０は、第二折り曲げ部１８（本実施形態においては、第二の折り曲げ罫線１８ａ）を境にして、保形具本体１０の第三本体部１３と第四本体部１４との間で、内側（第二の折り曲げ罫線１８ａと連続する部分）が凹状（円弧状）に形成されているとともに、外側（第二の折り曲げ罫線１８ａから離れる部分）が凸状に形成されている。
【００３８】
本実施形態において、保形具本体１０は、複数の貫通穴２１，・・・を備える。該複数の貫通穴２１，・・・は、第一方向及び第二方向に規則性を持って配置されている。より具体的には、複数の貫通穴２１，・・・は、第一の折り曲げ部１５（第一の折り曲げ罫線１５ａ）に対して略対称となるように、千鳥状に配置されている。また、複数の貫通穴２１，・・・のそれぞれは、略円形状に形成されている。
【００３９】
本実施形態において、複数の貫通穴２１，・・・は、少なくとも第一の折り曲げ部１５（第一の折り曲げ罫線１５ａ）上に位置するように設けられる。また、複数の貫通穴２１，・・・は、少なくとも第二折り曲げ部１８（第二の折り曲げ罫線１８ａ）上に位置するように設けられる。本実施形態において、第一の折り曲げ罫線１５ａと重複した位置に、１４個の貫通穴２１，・・・が形成されているとともに、第二の折り曲げ罫線１８ａと重複した位置に、７個の貫通穴２１，・・・が形成されている。
【００４０】
本実施形態において、第一折り曲げ部１５（第一の折り曲げ罫線１５ａ）と第二折り曲げ部１８（第二の折り曲げ罫線１８ａ）との交点上に共通の貫通穴２１，・・・が設けられている。該貫通穴２１，・・・の周縁部には、第一折り曲げ部１５（第一の折り曲げ罫線１５ａ）及び第二折り曲げ部１８（第二の折り曲げ罫線１８ａ）に対応した第三の肉盗み部２１ａが形成されている。
【００４１】
また、本実施形態において、保形具本体１０は、第二方向に第一端部１０ｃ及び第二端部１０ｄを備え、第一方向の両端における第二方向の第一端部１０ｃ側に凹状の袖かわし部２２，２３が形成されている。より具体的には、一方の袖かわし部２２は、第一本体部１１における第二方向の第一端側に形成されているともに、他方の袖かわし部２３は、第三本体部１３における第二方向の第一端側に形成されている。袖かわし部２２と袖かわし部２３とは、第一折り曲げ部１５（第一の折り曲げ罫線１５ａ）に対して略対称となるように形成されている。本実施形態において、袖かわし部２２，２３は、後述する上着の袖ぐりに沿う形状になっている。
【００４２】
上着用保形具１は、保形具本体１０の第二方向の第一端部１０ｃに連続して形成された折り曲げ可能な止め片２４を備える。本実施形態において、止め片２４は、第一折り曲げ部１５（第一の折り曲げ罫線１５ａ）の両側で略対称となるように形成されている。すなわち、止め片２４は、上側本体部（第一本体部１１及び第三本体部１３）の二つの領域に跨って設けられている。
【００４３】
止め片２４は、保形具本体１０に連続して形成されるのに伴って、厚み方向に第一面２４ａ及び第二面２４ｂを有する。止め片２４は、保形具本体１０が四つ折り以上に折り畳まれた状態で、保形具本体１０側に折り返されて該保形具本体１０の対向する部位（第二端部１０ｄ）に連結されるように構成される。
【００４４】
より具体的には、止め片２４は、第二面２４ｂ上に連結部２４ｃを有する。これに伴って、保形具本体１０は、第二端部１０ｄの第二面１０ｂ上に連結部１０ｅを有する。本実施形態において、連結部２４ｃ及び連結部１０ｅのそれぞれに、雄雌一対の面ファスナー２５,２６が設けられている。すなわち、保形具本体１０が四つ折りに折り畳まれた状態で、止め片２４の連結部２４ｃと保形具本体１０の連結部１０ｅとが重なり合うようになり、面ファスナー２５,２６同士が接続されることで、止め片２４は、保形具本体１０に連結されるようになる。
【００４５】
また、止め片２４に貫通穴２４ｄが設けられている。該貫通穴２４ｄは、略円形状に形成されている。本実施形態において、貫通穴２４ｄは、略円形状に形成されているが、これに限定されるものではない。また、貫通穴２４ｄは、第一折り曲げ部１５（第一の折り曲げ罫線１５ａ）に対して略対称となるように形成されている。
【００４６】
本実施形態に係る上着用保形具１の構成についての説明は以上の通りであり、次に、本実施形態に係る上着用保形具１の使用態様について説明する。なお、本実施形態においては、上着としてスーツの上着やジャケット等（以下、上着という）の袖部を有し、前身頃を重ねる上着を折り畳む場合について説明する。
【００４７】
本実施形態に係る上着用保形具１を用いて上着を折り畳む場合、まず、上着の袖部はそのまま保持され、図２に示すように、上着２００の前身頃２０１及び後身頃２０４が裏返しにされる。そうすると、上着２００の袖部２０２，２０３は、裏返しにされた状態の上着２００の内側に入り込むようになる。すなわち、袖部２０２，２０３は、上着２００の前身頃２０１（左前身頃２０１ａ及び右前身頃２０１ｂ）と後身頃２０４との間に位置されるようになる。そして、図３に示すように、この状態で、保形具本体１０を、上着２００の後身頃２０４の略全域に対向するように前身頃２０１（左前身頃２０１ａ及び右前身頃２０１ｂ）と後身頃２０４との間に配置する。
【００４８】
より具体的には、保形具本体１０を、上着２００の後身頃２０４の略全域に対向させた状態で、袖部２０２，２０３の各袖ぐり２０２ａ，２０３ａを保形具本体１０の各袖かわし部２２，２３に沿わせるようにして保形具本体１０上に載せ、その上に前身頃２０１（左前身頃２０１ａ及び右前身頃２０１ｂ）を配置するようにする。すなわち、後身頃２０４から順に、保形具本体１０、袖部２０２．２０３、前身頃２０１（左前身頃２０１ａ及び右前身頃２０１ｂ）が配置されるようになる。
【００４９】
次に、図４に示すように、保形具本体１０を第一の折り曲げ罫線１５ａに沿って上着２００とともに第一方向に二つ折りに折り畳む。そうすると、前身頃２０１の左前身頃２０１ａと右前身頃２０１ｂとが重ね合わされるようになる。この状態では、左前身頃２０１ａと右前身頃２０１ｂとを介して、袖部２０２と袖部２０３とが対向するようになっている。そして、袖部２０２と袖部２０３とを介して、保形具本体１０の第一本体部１１と第三本体部１３とが対向するようになるとともに、第二本体部１２と第四本体部１４とが対向するようになる。なお、図４においては、保形具本体１０を実線で、上着２００を点線で示している。
【００５０】
また、保形具本体１０を第二の折り曲げ罫線１８ａに沿ってスーツの上着２００とともに第二方向に折り畳む。そうすると、図５に示すように、保形具本体１０が上着２００とともに四つ折りに折り畳まれる。その結果、保形具本体１０が上着２００の前身頃２０１及び後身頃２０４のそれぞれに対向して配置され、保形具本体１０と上着２００の前身頃２０１及び後身頃２０４が互いに拘束しあって位置決めされるようになる。なお、図５においては、保形具本体１０を実線で、上着２００を点線で示している。
【００５１】
この状態で、止め片２４を上着２００の内側に向けて折り畳み、該止め片２４の第二面２４ｂに設けられた連結部２４ｃ（面ファスナー２５）と、保形具本体１０の第二面１０ｂに設けられた連結部１０ｅ（面ファスナー２６）とを重ね合わせて連結する。そうすると、保形具本体１０の第二方向の第一端部１０ｃと第二端部１０ｄとが、止め片２４（面ファスナー２５,２６）によって連結されるようになる。そのため、保形具本体１０と上着２００（前身頃２０１（左前身頃２０１ａ，右前身頃２０１ｂ）及び後身頃２０４）とが互いにより拘束しあって位置決めされるようになる。
【００５２】
以上のように、本実施形態に係る上着用保形具１によれば、保形具本体１０が上着２００の前身頃２０１（左前身頃２０１ａ，右前身頃２０１ｂ）及び後身頃２０４のそれぞれに対向して配置され、保形具本体１０と上着２００とが互いに拘束しあって位置決めされるため、上着２００が鞄や袋等に収納されて携行されたとしても、上着２００の型崩れを防ぐとともに、上着２００に折り目やしわが付きにくくすることができるといった優れた効果を奏し得る。
【００５３】
特に、上着２００の袖部２０２，２０３がそのまま保持され、上着２００が裏返しにされた状態で、保形具本体１０が上着２００の前身頃２０１と後身頃２０４との間に配置され、第一折り曲げ部１５（第一の折り曲げ罫線１５ａ）及び第二折り曲げ部１８（第二の折り曲げ罫線１８ａ）に沿って一緒に四つ折り以上に折り畳まれると、袖部２０２，２０３の動きが拘束されることで、袖部２０２，２０３に折り目やしわが付くのが防止される。
【００５４】
また、本実施形態に係る上着用保形具１によれば、保形具本体１０が第一折り曲げ部１５（第一の折り曲げ罫線１５ａ）及び第二折り曲げ部１８（第二の折り曲げ罫線１８ａ）に沿って第一方向及び第二方向にさらに折り曲げられやすくなる。
【００５５】
また、本実施形態に係る上着用保形具１によれば、上着２００と保形具本体１０とが二つ折りに折り畳まれた状態で、保形具本体１０が各折り曲げ部１５,１８（各折り曲げ罫線１５ａ，１８ａ）に沿って上着２００とともに折り畳まれる際に折り畳まれやすく、各折り曲げ部１５,１８（各折り曲げ罫線１５ａ，１８ａ）の両端部に角部が形成されず、丸みを帯びるようになるため、上着２００が傷むのが防止される。
【００５６】
また、本実施形態に係る上着用保形具１によれば、複数の貫通穴２１，・・・を備えるため、軽量化されることができるとともに、通気性を良くすることができる。また、保形具本体１０が第一折り曲げ部１５（第一の折り曲げ罫線１５ａ）に沿って折り畳まれる際に折り畳みやすくなり、保形具本体１０が第一折り曲げ部１５（第一の折り曲げ罫線１５ａ）に沿って上着２００とともに折り畳まれる際に上着２００に折り目やしわがさらに付きにくくなる。
【００５７】
また、本実施形態に係る上着用保形具１によれば、保形具本体１０が第二折り曲げ部１８（第二折り曲げ罫線１８ａ）に沿って折り曲げられる際に折り畳みやすくなり、保形具本体１０が第二折り曲げ部１８（第二折り曲げ罫線１８ａ）に沿って上着２００とともに折り畳まれる際に上着２００に折り目やしわがさらに付きにくくなる。
【００５８】
また、本実施形態に係る上着用保形具１によれば、上着２００と保形具本体１０とが四つ折りに折り畳まれた状態で、保形具本体１０が各折り曲げ部１５，１８（各折り曲げ罫線１５ａ，１８ａ）に沿って上着２００とともに折り畳まれる際に折り畳まれやすく、両折り曲げ部１５，１８（両折り曲げ罫線１５ａ，１８ａ）が交差する位置に形成された貫通穴４０に角部が形成されず、丸みを帯びるようになるため、上着２００が傷むのが防止される。
【００５９】
また、本実施形態に係る上着用保形具１によれば、上着２００が裏返しにされた状態で、上着２００の袖部２０２，２０３が凹状の袖かわし部２２，２３に沿って折り畳まれることで袖部２０２，２０３が折り畳まれやすくなり、袖部２０２，２０３に折り目やしわが付くのを防ぐことができる。
【００６０】
また、本実施形態に係る上着用保形具１によれば、保形具本体１０と上着２００（前身頃２０１及び後身頃２０４）とが互いにより拘束しあって位置決めされることができ、上着２００に折り目やしわが付くのをさらに防ぐことができる。
【００６１】
尚、本発明は、上記実施形態に限定されるものではなく、本発明の要旨を逸脱しない範囲において種々変更を行うことは勿論である。
【００６２】
上記実施形態においては、上着としてスーツの上着２００を折り畳む場合について説明したが、これに限定されるものではなく、例えば、上着用保形具１は、袖部を有し、前身頃を重ねる上着（例えば、ジャケットやコート等）を折り畳む場合に使用可能である。
【００６３】
上記実施形態において、第一折り曲げ部１５及び第二折り曲げ部１８のそれぞれは、罫線（第一折り曲げ罫線１５ａ及び第二折り曲げ罫線１８ａ）で構成され、他の部分よりも肉薄となるように溝状に形成されているが、これに限定されるものではなく、例えば、第一折り曲げ部１５及び第二折り曲げ部１８のそれぞれは、幅を持って肉薄となるように溝状に形成されたり、保形具本体１０が折り曲げられる範囲全体に設けられたりしてもよい。或いは、第一折り曲げ部１５及び第二折り曲げ部１８は、例えば、印刷であってもよい。
【００６４】
上記実施形態において、上着用保形具１を用いて上着を折り畳む場合、保形具本体１０を、第一の折り曲げ部１５に沿って上着２００とともに第一方向に二つ折りに折り畳み、第二の折り曲げ部１８に沿って第二方向に折り畳むようにしたが、これに限定されるものではない。保形具本体１０を、第二の折り曲げ部１８に沿ってスーツの上着２００とともに第二方向に折り畳み、第一の折り曲げ部１５に沿って第一方向に折り畳むようにしてもよい。この場合でも、上記実施形態と同様の効果を得ることができる。
【００６５】
上記実施形態において、保形具本体１０は、一本の第二の折り曲げ罫線１８ａを備え、上着用保形具１を用いてスーツの上着２００を四つ折りに折り畳む場合について説明したが、これに限定されるものではない。例えば、保形具本体１０は、複数の第二の折り曲げ罫線１８ａを備え、上着用保形具１を用いて上着２００を四つ折り以上に折り畳むようにしてもよい。
【００６６】
より具体的には、上着用保形具１を用いて着丈の長い上着を折り畳む場合、保形具本体１０を着丈の長い上着の後身頃の略全域に対向するような大きさ及び形状に形成し、保形具本体１０が複数の第二の折り曲げ罫線１８ａを備えるようにする。そして、保形具本体１０を第一方向及び第二方向に沿って上着とともに折り畳むようにすれば、保形具本体１０（上着用保形具１）を用いて上着が四つ折り以上にコンパクトに折り畳まれることができる。ただし、保形具本体１０（上着用保形具１）は、上着に折り目やしわが形成されない程度に折り畳まれることは言うまでもない。
【００６７】
上記実施形態において、複数の貫通穴２１，・・・は、第一方向及び第二方向に規則性を持って配置されているが、これに限定されるものではない。上着に折り目やしわが形成されない限り、複数の貫通穴２１，・・・の配置の仕方は任意である。
【００６８】
上記実施形態において、複数の貫通穴２１，・・・は、略円形状に形成されているが、これに限定されるものではない。保形具本体１０（上着用保形具１）が軽量化されることができるとともに、通気性を良くすることができれば、複数の貫通穴２１，・・・は、任意の形状を呈することができる。
【００６９】
上記実施形態において、複数の貫通穴２１，・・・は、第一の折り曲げ部１５（第一の折り曲げ罫線１５ａ）上に位置するように設けられるが、これに限定されるものではない。また、複数の貫通穴２１，・・・は、第二の折り曲げ部１８（第二の折り曲げ罫線１８ａ）上に位置するように設けられるが、これに限定されるものではない。ただ、複数の貫通穴２１，・・・が各折り曲げ部１５，１８（各折り曲げ罫線１５ａ,１８ａ）上に位置するように設けられる方が、保形具本体１０の各折り曲げ部１５，１８（各折り曲げ罫線１５ａ,１８ａ）における剛性が弱くなるため、保形具本体１０が各折り曲げ部１５，１８（各折り曲げ罫線１５ａ,１８ａ）に沿ってより折り畳まれやすい。
【００７０】
上記実施形態において、上着用保形具１は、保形具本体１０の第二方向の第一端部１０ｃに連続して形成された折り畳み可能な止め片２４を備えるが、これに限定されるものではない。上着用保形具１が止め片２４を備えない場合でも、保形具本体１０と上着２００（前身頃２０１及び後身頃２０４）とが互いに拘束しあって位置決めされ、上着２００の型崩れを防ぐとともに、上着２００に折り目やしわが付きにくくすることができる。ただ、上着２００を保形具本体１０（上着用保形具１）とともに、四つ折り以上に折り畳んだ状態で、保形具本体１０と上着２００（前身頃２０１及び後身頃２０４）とが互いにより拘束しあって位置決めできる点で、上着用保形具１は、止め片を備えることが好ましい。
【００７１】
上記実施形態において、止め片２４は、第二面２４ｂ上に連結部２４ｃを有するとともに、保形具本体１０は、第二端部１０ｄの第二面１０ｂ上に連結部１０ｅを有するが、これに限定されるものではない。止め片２４は、保形具本体１０が四つ折り以上に折り畳まれた状態で、保形具本体１０側に折り返されて該保形具本体１０の対向する部位に連結可能に構成されるものであればよい。
【符号の説明】
【００７２】
１…上着用保形具、１０…保形具本体、１０ａ…第一面、１０ｂ…第二面、１０ｃ…第一端部、１０ｄ…第二端部、１０ｅ…連結部、１１…第一本体部、１２…第二本体部、１３…第三本体部、１４…第四本体部、１５…第一折り曲げ部、１５ａ…第一の折り曲げ罫線、１６，１７…第一の肉盗み部、１８…第二折り曲げ部，１８ａ…第二の折り曲げ罫線、１９，２０…第二の肉盗み部、２１…複数の貫通穴、２１ａ…第三の肉盗み部、２２,２３…袖かわし部、２４…止め片、２４ａ…第一面、２４ｂ…第二面、２４ｃ…連結部、２４ｄ…貫通穴、２５,２６…面ファスナー、２００…上着、２０１…前身頃、２０１ａ…左前身頃、２０１ｂ…右前身頃、２０２，２０３…袖部、２０２ａ，２０３ａ…袖ぐり、２０４…後身頃
【図１】
2013158354.tif 000003
【図２】
2013158354.tif 000004
【図３】
2013158354.tif 000005
【図４】
2013158354.tif 000006
【図５】
2013158354.tif 000007
【手続補正書】
【提出日】平成24年5月31日(2012.5.31)
【手続補正１】
【補正対象書類名】特許請求の範囲
【補正対象項目名】請求項８
【補正方法】変更
【補正の内容】
【請求項８】
前記保形具本体の前記第二方向の前記第一端部に連続して形成され、且つ連結部を有する折り曲げ可能な止め片を備え、前記止め片の連結部は、前記保形具本体が四つ折りに折り畳まれた状態で、前記保形具本体側に折り返されて対向する別の連結部に連結可能に構成される請求項１乃至請求項７の何れか一項に記載の上着用保形具。
【手続補正２】
【補正対象書類名】明細書
【補正対象項目名】００２２
【補正方法】変更
【補正の内容】
【００２２】
本発明の別態様として、前記保形具本体の前記第二方向の前記第一端部に連続して形成され、且つ連結部を有する折り曲げ可能な止め片を備え、前記止め片の連結部は、前記保形具本体が四つ折りに折り畳まれた状態で、前記保形具本体側に折り返されて対向する別の連結部に連結可能に構成されることが好ましい。
【手続補正３】
【補正対象書類名】明細書
【補正対象項目名】００３６
【補正方法】変更
【補正の内容】
【００３６】
第二の肉盗み部１９，２０のそれぞれは、第二折り曲げ部１８（本実施形態においては、第荷の折り曲げ罫線１８ａ）に対して略対称となるように形成されている。すなわち、第二の肉盗み部１９は、第二折り曲げ部１８（本実施形態においては、第二の折り曲げ罫線１８ａ）を境にして、保形具本体１０の第一本体部１１と第二本体部１２との間で、内側（第二の折り曲げ罫線１８ａと連続する部分）が凹状（円弧状）に形成されているとともに、外側（第二の折り曲げ罫線１８ａから離れる部分）が凸状に形成されている。
【手続補正４】
【補正対象書類名】明細書
【補正対象項目名】００３７
【補正方法】変更
【補正の内容】
【００３７】
また、第二の肉盗み部２０は、第二折り曲げ部１８（本実施形態においては、第二の折り曲げ罫線１８ａ）を境にして、保形具本体１０の第三本体部１３と第四本体部１４との間で、内側（第二の折り曲げ罫線１８ａと連続する部分）が凹状（円弧状）に形成されているとともに、外側（第二の折り曲げ罫線１８ａから離れる部分）が凸状に形成されている。
【手続補正５】
【補正対象書類名】明細書
【補正対象項目名】００６５
【補正方法】変更
【補正の内容】
【００６５】
上記実施形態において、保形具本体１０は、一本の第二の折り曲げ罫線１８ａを備え、上着用保形具１を用いてスーツの上着２００を四つ折りに折り畳む場合について説明したが、これに限定されるものではない。例えば、保形具本体１０は、複数の第二の折り曲げ罫線１８ａを備え、上着用保形具１を用いて上着２００を四つ折りに折り畳むようにしてもよい。
【手続補正書】
【提出日】平成24年8月10日(2012.8.10)
【手続補正１】
【補正対象書類名】特許請求の範囲
【補正対象項目名】請求項１
【補正方法】変更
【補正の内容】
【請求項１】
上着の後身頃の略全域に対向するように前身頃と後身頃との間に配置可能に形成されるシート状の保形具本体を備え、該保形具本体は、前記上着の身幅に対応する第一方向の中央部で折り曲げ可能な第一折り曲げ部と、前記上着の着丈に対応する第二方向に折り曲げ可能な少なくとも一つの第二折り曲げ部と、を備え、前記保形具本体が前記上着の前身頃と後身頃との間に配置された状態で、前記上着とともに前記第一折り曲げ部及び少なくとも一つの第二折り曲げ部に沿って一緒に折り曲げられることで、前記上着と前記保形具本体とが四つ折り以上に折り畳まれる上着用保形具。
【手続補正２】
【補正対象書類名】特許請求の範囲
【補正対象項目名】請求項８
【補正方法】変更
【補正の内容】
【請求項８】
前記保形具本体の前記第二方向の前記第一端部に連続して形成され、且つ連結部を有する折り曲げ可能な止め片を備え、前記止め片の連結部は、前記上着と前記保形具本体とが四つ折りに折り畳まれた状態で、前記保形具本体側に折り返されて対向する別の連結部に連結可能に構成される請求項１乃至請求項７の何れか一項に記載の上着用保形具。
【手続補正３】
【補正対象書類名】明細書
【補正対象項目名】０００８
【補正方法】変更
【補正の内容】
【０００８】
本発明に係る上着用保形具は、上着の後身頃の略全域に対向するように前身頃と後身頃との間に配置可能に形成されるシート状の保形具本体を備え、該保形具本体は、前記上着の身幅に対応する第一方向の中央部で折り曲げ可能な第一折り曲げ部と、前記上着の着丈に対応する第二方向に折り曲げ可能な少なくとも一つの第二折り曲げ部と、を備え、前記保形具本体が前記上着の前身頃と後身頃との間に配置された状態で、前記上着とともに前記第一折り曲げ部及び少なくとも一つの第二折り曲げ部に沿って一緒に折り曲げられることで、前記上着と前記保形具本体とが四つ折り以上に折り畳まれる。
【手続補正４】
【補正対象書類名】明細書
【補正対象項目名】００２２
【補正方法】変更
【補正の内容】
【００２２】
本発明の別態様として、前記保形具本体の前記第二方向の前記第一端部に連続して形成され、且つ連結部を有する折り曲げ可能な止め片を備え、前記止め片の連結部は、前記上着と前記保形具本体とが四つ折りに折り畳まれた状態で、前記保形具本体側に折り返されて対向する別の連結部に連結可能に構成されることが好ましい。
【手続補正５】
【補正対象書類名】明細書
【補正対象項目名】００２３
【補正方法】変更
【補正の内容】
【００２３】
上記構成の上着用保形具によれば、保形具本体が各折り曲げ部に沿って上着とともに四つ折りに折り畳まれた状態で、止め片が保形具本体に連結されると、保形具本体の第二方向の第一端と第二端とが、止め片によって係止されるようになるため、保形具本体と上着（前身頃及び後身頃）とが互いにより拘束しあって位置決めされることができ、上着に折り目やしわが付くのをさらに防ぐことができる。この場合、止め片に貫通穴が設けられると、貫通穴に引っ掛けることができるため、止め片がハンガーの役割を果たす。
【手続補正６】
【補正対象書類名】明細書
【補正対象項目名】００６５
【補正方法】変更
【補正の内容】
【００６５】
上記実施形態において、保形具本体１０は、一本の第二の折り曲げ罫線１８ａを備え、上着用保形具１を用いてスーツの上着２００を四つ折りに折り畳む場合について説明したが、これに限定されるものではない。例えば、保形具本体１０は、複数の第二の折り曲げ罫線１８ａを備え、上着用保形具１を用いて上着２００を四つ折り以上に折り畳むようにしてもよい。
【手続補正７】
【補正対象書類名】明細書
【補正対象項目名】００７１
【補正方法】変更
【補正の内容】
【００７１】
上記実施形態において、止め片２４は、第二面２４ｂ上に連結部２４ｃを有するとともに、保形具本体１０は、第二端部１０ｄの第二面１０ｂ上に連結部１０ｅを有するが、これに限定されるものではない。止め片２４は、保形具本体１０が四つ折りに折り畳まれた状態で、保形具本体１０側に折り返されて該保形具本体１０の対向する部位に連結可能に構成されるものであればよい。